(57)【特許請求の範囲】
【請求項１】
表示ユニットと、
前記表示ユニット上にメール画面と操作画面を並べて表示する表示制御部と、
前記表示ユニットの表示領域を前記メール画面の表示領域と前記操作画面の表示領域とに区切る境界線を、外部操作の操作量に応じて移動させることにより、前記メール画面の表示領域をメール画面と操作画面の並び方向に拡張および縮小させる領域変更手段と、を備え、
前記表示制御部は、前記メール画面上に表示されたメールリストのうち一のメールが選択された状態で、前記メール画面の表示領域を拡張するよう前記領域変更手段を拡張操作するに応じ、当該選択されたメールの直下にメール内容表示領域を設定し、当該メール内容表示領域に前記メール内容に関する情報を表示させ、
前記領域変更手段は、前記メール内容表示領域が設定されると、前記拡張操作の操作量に応じた前記境界線の移動により前記メール画面の表示領域を拡張させ、前記メール画面の表示領域が拡張したサイズに応じて前記メール内容表示領域を拡張させるとともに、前記メール内容表示領域が拡張したサイズに応じて前記操作画面の表示領域を縮小させる、ことを特徴とする電子メール機能付き機器。
【請求項２】
請求項１に記載の電子メール機能付き機器において、
前記表示制御部は、前記メールリストのうち前記選択されたメールとその下のメールの間に前記メール内容表示領域を割り込ませる、
ことを特徴とする電子メール機能付き機器。
【請求項３】
請求項１または２に記載の電子メール機能付き機器において、
前記表示制御部は、前記メール画面の表示領域が所定サイズになった後、さらに、前記拡張操作がなされると、前記メール画面にメール返信用の画面領域を設定する、
ことを特徴とする電子メール機能付き機器。
【請求項４】
請求項３に記載の電子メール機能付き機器において、
前記表示制御部は、前記メール画面にメール返信用の画面領域の他、前記メール内容表示領域を設定し、当該メール内容表示領域にメール内容の全部または一部を表示させる、ことを特徴とする電子メール機能付き機器。
【請求項５】
請求項３または４に記載の電子メール機能付き機器において、
前記表示制御部は、前記拡張操作が進むに応じて前記メール内容表示領域を拡張させるとともに、前記メール画面の表示領域が前記所定サイズになる前に前記メール内容に関する全ての情報が表示されると、その後、前記拡張操作がなされるに応じて、前記メール画面の表示領域にメール返信用の画面を表示させる、
ことを特徴とする電子メール機能付き機器。
【請求項６】
請求項３または４に記載の電子メール機能付き機器において、
前記表示制御部は、前記メール画面の表示領域が前記所定サイズになる前に、前記メール画面の表示領域が縮小するよう前記領域変更手段が縮小操作されると、前記メール画面の表示領域にメール返信用の画面を表示させる、
ことを特徴とする電子メール機能付き機器。
【請求項７】
請求項３ないし６の何れか一項に記載の電子メール機能付き機器において、
前記メール内容表示領域に表示される情報をスクロールさせる送り操作部を備え、
前記表示制御部は、前記送り操作部による送り操作に応じて、前記メール内容表示領域内の情報をスクロールさせる、
ことを特徴とする電子メール機能付き機器。
【請求項８】
請求項１ないし７の何れか一項に記載の電子メール機能付き機器において、
前記表示制御部は、前記メール内容表示領域に、メール本文と、当該メールに添付された添付画像を表示させる、
ことを特徴とする電子メール機能付き機器。
【請求項９】
請求項１ないし７の何れか一項に記載の電子メール機能付き機器において、
前記表示制御部は、前記メール内容表示領域に、メール本文と、当該メールの送信者に関連する所定情報を表示する、
ことを特徴とする電子メール機能付き機器。
【請求項１０】
表示ユニット上にメールリストを含むメール画面と操作画面を並べて表示するステップと、
前記メールリストのうち一のメールが選択された状態で、前記メール画面の表示領域を拡張するよう拡張操作されるに応じ、当該選択されたメールの直下にメール内容表示領域を設定するステップと、
前記メール内容表示領域が設定されると、前記表示ユニットの表示領域を前記メール画面の表示領域と前記操作画面の表示領域とに区切る境界線を、前記拡張操作の操作量に応じて移動させるステップと、
前記拡張操作の操作量に応じた前記境界線の移動により前記メール画面の表示領域を拡張させ、前記メール画面の表示領域が拡張したサイズに応じて前記メール内容表示領域を拡張させるとともに、前記メール内容表示領域が拡張サイズに応じて前記操作画面の表示領域を縮小させるステップと、
前記メール内容表示領域に前記メール内容に関する情報を表示させるステップと、を含む、
ことを特徴とする電子メール機能付き機器の制御方法。
【発明の詳細な説明】
【技術分野】
【０００１】
本発明は、電子メール機能付き機器に関し、特に、携帯電話機やＰＤＡ（Personal Digital Assistant）等の携帯端末装置に用いて好適なものである。
【背景技術】
【０００２】
一般に、携帯電話機やＰＤＡ等の携帯端末装置には、電子メール（以下、単に「メール」という）の機能が備えられている。ユーザは、受信したメールの一覧を閲覧し、一覧から所望のメールを選択して、その内容を確認した後、必要に応じて、返信メールを作成し、相手方に送信することができる。たとえば、この種の携帯端末装置が特許文献１に開示されている。
【０００３】
特許文献１の携帯端末装置にあっては、受信メール一覧画面上で所望する受信メールにカーソル（フォーカス）を移動させ、操作ボタンであるサイドコントローラを短押込み操作すると、カーソルが位置する所望の受信メールの内容を表示する表示画面に移行する。また、受信メールの内容を表示する表示画面において、サイドコントローラを長押込み操作すると、この表示されている受信メールに対するメール返信の画面に遷移する。
【特許文献１】特開２００４−６２６４５号公報
【発明の開示】
【発明が解決しようとする課題】
【０００４】
この種の携帯端末装置では、機器本体を一つの筐体とし、その前面を全てディスプレイ面とすることも可能である。この場合、操作ボタンは、たとえば、ディスプレイ面上にタッチパネルとして配置することができる。こうすると、ディスプレイ面は、メール画面等を表示するための領域と、操作ボタンを表示するための領域に区分され、操作ボタンの表示領域にタッチパネルが配されることとなる。
【０００５】
この場合、機器本体前面は全領域において表示が可能であるため、メール画面等を表示するための領域と、操作ボタンを表示するための領域は必ずしもその範囲が固定されている必要はなく、適宜、各領域の大きさを変え得るようにすることもできる。ここで、メール画面の表示領域を大きくすると一度に表示できる情報量が増加し、たとえば、受信メールを読むとき等に便利である。また、操作を主として行う場合は、操作ボタンの表示領域を大きくすることにより、操作性が向上する。
【０００６】
このように各領域の大きさを変更可能とするためには、たとえば、ジョグダイヤル等の操作部を機器本体に配置する必要がある。この場合、操作部に対する操作によって、領域のサイズ変更のみならず、メール画面の内容や、メールモード（一覧／受信／送信、等）の変更ができると便利である。メール画面領域が拡張されると、その中に、種々の情報を表示できる。よって、特に、メール画面の領域拡張操作に応じてメール画面の内容を変化させると、ユーザの使い勝手を飛躍的に向上させることが可能となる。
【０００７】
本発明は、この点に鑑みてなされたものであり、メール画面の領域変更操作に応じてメール画面の内容を変化させ、これにより、ユーザの利便性を高め得る電子メール機能付き機器を提供することを目的とする。
【課題を解決するための手段】
【０００８】
上記課題に鑑み本発明は、以下の特徴を有する。
【０００９】
本発明の第１の態様に係る電子メール機能付き機器は、表示ユニットと、前記表示ユニット上にメール画面と操作画面を並べて表示する表示制御部と、前記表示ユニットの表示領域を前記メール画面の表示領域と前記操作画面の表示領域とに区切る境界線を、外部操作の操作量に応じて移動させることにより、前記メール画面の表示領域をメール画面と操作画面の並び方向に拡張および縮小させる領域変更手段と、を備え、前記表示制御部は、前記メール画面上に表示されたメールリストのうち一のメールが選択された状態で、前記メール画面の表示領域を拡張するよう前記領域変更手段を拡張操作するに応じ、当該選択されたメールの直下にメール内容表示領域を設定し、当該メール内容表示領域に前記メール内容に関する情報を表示させ、前記領域変更手段は、前記メール内容表示領域が設定されると、前記拡張操作の操作量に応じた前記境界線の移動により前記メール画面の表示領域を拡張させ、前記メール画面の表示領域が拡張したサイズに応じて前記メール内容表示領域を拡張させるとともに、前記メール内容表示領域が拡張したサイズに応じて前記操作画面の表示領域を縮小させることを特徴とする。
【００１０】
本発明の第２の態様は、上記第１の態様に係る電子メール機能付き機器において、前記表示制御部は、前記メールリストのうち前記選択されたメールとその下のメールの間に前記メール内容表示領域を割り込ませることを特徴とする。
【００１１】
本発明の第３の態様は、上記第１または第２の態様に係る電子メール機能付き機器において、前記表示制御部は、前記メール画面の表示領域が所定サイズになった後、さらに、前記拡張操作がなされると、前記メール画面にメール返信用の画面領域を設定することを特徴とする。
【００１２】
本発明の第４の態様は、上記第３の態様に係る電子メール機能付き機器において、前記表示制御部は、前記メール画面にメール返信用の画面領域の他、前記メール内容表示領域を設定し、当該メール内容表示領域にメール内容の全部または一部を表示させることを特徴とする。
【００１３】
本発明の第５の態様は、上記第３または第４の態様に係る電子メール機能付き機器において、前記表示制御部は、前記拡張操作が進むに応じて前記メール内容表示領域を拡張させるとともに、前記メール画面の表示領域が前記所定サイズになる前に前記メール内容に関する全ての情報が表示されると、その後、前記拡張操作がなされるに応じて、前記メール画面の表示領域にメール返信用の画面を表示させることを特徴とする。
【００１４】
本発明の第６の態様は、上記第３または第４の態様に係る電子メール機能付き機器において、前記表示制御部は、前記メール画面の表示領域が前記所定サイズになる前に、前記メール画面の表示領域が縮小するよう前記領域変更手段が縮小操作されると、前記メール画面の表示領域にメール返信用の画面を表示させる、
ことを特徴とする。
【００１５】
本発明の第７の態様は、上記第３ないし第６の態様の何れかに係る電子メール機能付き機器において、前記メール内容表示領域に表示される情報をスクロールさせる送り操作部を備え、前記表示制御部は、前記送り操作部による送り操作に応じて、前記メール内容表示領域内の情報をスクロールさせることを特徴とする。
【００１６】
本発明の第８の態様は、上記第１ないし第７の態様の何れかに係る電子メール機能付き機器において、前記表示制御部は、前記メール内容表示領域に、メール本文と、当該メールに添付された添付画像を表示させることを特徴とする。
【００１７】
本発明の第９の態様は、上記第１ないし第７の態様の何れかに係る電子メール機能付き機器において、前記表示制御部は、前記メール内容表示領域に、メール本文と、当該メールの送信者に関連する所定情報を表示することを特徴とする。
【００１８】
本発明の第１０の態様に係る電子メール機能付き機器の制御方法は、表示ユニット上にメールリストを含むメール画面と操作画面を並べて表示するステップと、前記メールリストのうち一のメールが選択された状態で、前記メール画面の表示領域を拡張するよう拡張操作されるに応じ、当該選択されたメールの直下にメール内容表示領域を設定するステップと、前記メール内容表示領域が設定されると、前記表示ユニットの表示領域を前記メール画面の表示領域と前記操作画面の表示領域とに区切る境界線を、前記拡張操作の操作量に応じて移動させるステップと、前記拡張操作の操作量に応じた前記境界線の移動により前記メール画面の表示領域を拡張させ、前記メール画面の表示領域が拡張したサイズに応じて前記メール内容表示領域を拡張させるとともに、前記メール内容表示領域が拡張したサイズに応じて前記操作画面の表示領域を縮小させるステップと、前記メール内容表示領域に前記メール内容に関する情報を表示させるステップと、を含むことを特徴とする。
【発明の効果】
【００２０】
第１および第１０の態様によれば、メール画面の拡張操作に連動してメール内容が表示されるため、メール内容表示時の操作を簡便なものとすることができる。また、領域拡張に応じてメール内容が表示されるため、メール画面上にメール内容の表示領域を円滑に割り当てることができる。
【００２１】
また、メールリストのうち選択されたメールの直下にメール内容が表示されるため、ユーザは、メール内容を読みながら、その送信者を容易に識別することができる。
さらに、拡張操作の操作量に応じてメール画面が拡張され、メール画面が拡張されたサイズに応じてメール内容表示領域が拡張される。よって、ユーザは、より多くのメール内容情報を一度に見ることができる。
【００２２】
第２の態様によれば、メールリストのうち選択されたメールとその下のメールの間にメール内容が表示されるため、第２の態様と同様、ユーザは、メール内容を読みながら、その送信者を容易に識別することができる。また、第３の態様によれば、内容が表示された
メール以外のメールリストも同時に表示されるため、ユーザは、たとえば内容表示中のメールに関連する他のメール（同一送信者からの開封済みメール／未開封メール等）の有無等を知ることができる。
【００２３】
なお、第１、第２および第１０の態様において、「メールリスト」とは、受信メールの一覧のみならず、送信メールの一覧をも含むものである。以下の実施の形態では、本態様のメールリストに相当するものとして、受信メールの一覧が示されている。
【００２５】
第３の態様によれば、メール画面の拡張操作に連動してさらにメール返信用の画面が表示されるため、一連の操作によってメール内容の確認からメール返信へと移行することができ、機器の操作性を高めることができる。
【００２６】
第４の態様によれば、メール返信画面と同時にメール内容が表示されるため、ユーザは、返信メール作成時に、受信メールの内容を確認でき、よって、返信メールの作成を円滑かつ効率的に行うことができる。
【００２７】
第５の態様によれば、メール画面の表示領域が所定のサイズになることを待つことなく、即座にメール返信画面へと移行するため、機器の使い勝手を向上させることができる。
【００２８】
第６の態様によれば、ユーザの任意に応じて、適宜、メール内容の表示からメール返信画面に移行できるため、機器の使い勝手を向上させることができる。
【００２９】
第７の態様によれば、メール内容の全てを一度にメール内容表示領域に表示できない場合に、適宜、送り操作によってメール内容をスクロールさせることができるため、ユーザは、メール内容を最後まで見ることができる。
【００３０】
第８の態様によれば、メール本文のみならず、添付画像をも表示できるので、ユーザは、メールの内容をより詳細に確認することができる。
【００３１】
第９の態様によれば、メールの内容だけでなく、アドレス情報やメール送受信履歴等、メール送信者に関する情報が表示されるため、ユーザは、返信メールを作成するに当たり、これら情報を適宜参照することができ、返信メール作成時の利便性を高めることができる。
【００３２】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【発明を実施するための最良の形態】
【００３３】
以下、本発明の実施形態につき図面を参照して説明する。
【００３４】
図１は、本発明の一実施形態である携帯電話機の構成を示す図である。同図（ａ）、（ｂ）、（ｃ）はそれぞれ、携帯電話機の正面図、右側面図、背面図である。
【００３５】
図１を参照して、本実施の形態の携帯電話機は、その外郭を構成するキャビネット１を備える。キャビネット１は、正面視で縦長矩形状を有する。キャビネット１の正面には、ほぼ全面に亘ってディスプレイ面２が配されている。ディスプレイ面２は、キャビネット１と同様、縦長矩形状を有している。
【００３６】
ディスプレイ面２は、液晶パネル３により構成されている。液晶パネル３の前方には、タッチパネル４が配されている。タッチパネル４は、ユーザに押されたディスプレイ面２上の位置を検出し、その位置に応じた信号（位置信号）を出力する。タッチパネル４の前方には、保護パネル５が配されている。保護パネル５は、タッチパネル４が傷つかないよう保護するものである。保護パネル５の表面には、その下部領域に、縦溝５ａおよび横溝５ｂが格子状に形成されている。これら溝５ａ、５ｂで囲まれた四角領域Ｓに機能を示す文字や記号が表示されると、この四角領域Ｓが、種々の操作を行うための１つの操作キー（ソフトキー）となる。なお、後述の操作領域Ｒ２が四角領域Ｓのない領域にまで設定されている場合、四角領域Ｓのない領域では、たとえば、機能の文字を四角い線で囲むなど、隣の機能との境界が分かるような操作キーの表示がなされる。
【００３７】
ディスプレイ面２には、水平方向に延びるバー６が表示される。バー６はディスプレイ面２の表示領域を上下２つの画面領域に区切る。バー６より上の領域が情報表示領域Ｒ１となり、下の領域が操作領域Ｒ２となる。情報表示領域Ｒ１には、テレビ映像や写真、テキストなどの各種コンテンツが表示される。また、操作領域Ｒ２には、種々の操作キーが表示される。バー６は、ジョグダイヤル７の操作により、表示領域内を上下に移動させることができる。
【００３８】
ジョグダイヤル７は、キャビネット１背面の中央部に設けられており、上下方向に回転する。ジョグダイヤル７が上方向に回転すると、バー６が上方に移動し、ジョグダイヤル７が下方向に回転すると、バー６が下方に移動する。また、ジョグダイヤル７は、前後方向にも動き、押しボタンとしても機能する。
【００３９】
ジョグダイヤル７の左右には、それぞれ、Ｒボタン８とＬボタン９が配されている。これらＲボタン８およびＬボタン９により、一定の処理を行うための操作を行うことができる。
【００４０】
キャビネット１の内部には、その上部にカメラモジュール１０が配されている。このカメラモジュール１０の撮像レンズ１０ａとフラッシュ部１０ｂとがキャビネット１の背面から外部に臨んでいる。
【００４１】
この携帯電話機では、バー６を所定の位置に固定することにより、各種の機能モード（電話モード、メールモード、テレビモード、ミュージックモード、インターネットモード、カメラモードなど）の画面への切替えを行うことができる。
【００４２】
このため、ディスプレイ面２には、上下方向に複数の固定位置（たとえば、Ｌ１〜Ｌ６）が設定されている。たとえば、ユーザが、ジョグダイヤル７を操作して、バー６を固定位置Ｌ５に移動させ、バー６が固定位置Ｌ５にある状態でジョグダイヤル７を短い時間押すと（短押しすると）、テレビモード画面が表示される。さらに、バー６を固定位置Ｌ６に移動させてジョグダイヤル７を短押しすると、テレビモード画面からメールモード画面に切り替わる。これら機能モードの画面において、切替当初のバー６の位置が情報表示領域Ｒ１と操作領域Ｒ２との境界ＢＬとなる。
【００４３】
図２（ａ）は、テレビモードにおける画面表示例を示す。また、同図（ｂ）は、メールモードにおける画面表示例を示す。テレビモードにおいては、図７（ａ）に示すように、映像コンテンツが情報表示領域Ｒ１に表示され、映像表示に関連する操作のための複数の操作キーが操作領域Ｒ２に表示される。また、メールモードにおいては、初期画面として、同図（ｂ）に示すように、各種メニューなどが情報表示領域Ｒ１に表示され、メールの入力や送受信などのための操作キーが操作領域Ｒ２に表示される。
【００４４】
図３は、本実施の形態に係る携帯電話機の回路構成を示すブロック図である。携帯電話機は、図１により説明した構成部品の他、ＣＰＵ１００、ＴＶモジュール２００、マイク３００、パネルスピーカ４００、通信処理部５００、液晶表示器６００、メモリ７００、バッテリー８００、電源部９００を備える。
【００４５】
ＴＶモジュール２００は、ＴＶチューナなどを含み、アンテナ２１０を介して受信した地上デジタル放送波、地上アナログ放送波などの電波を映像信号に変換してＣＰＵ１００に送る。
【００４６】
カメラモジュール１０は、上記撮像レンズ１０ａおよびフラッシュ部１０ｂの他、撮像素子１０ｃを含む。撮像レンズ１０ａは、被写体の像を撮像素子１０ｃ上に結像させる。撮像素子１０ｃは、例えばＣＣＤからなり、取り込んだ画像に応じた撮像信号を生成し、ＣＰＵ１００へ送る。
【００４７】
マイク３００は、音声信号を電気信号に変換してＣＰＵ１００へ送る。パネルスピーカ４００は、ＣＰＵ１００からの音声信号を音声として再生する。
【００４８】
通信制御部５００は、ＣＰＵ１００からの音声信号や画像信号、テキスト信号などを無線信号に変換し、アンテナ５１０を介して基地局へ送信するとともに、アンテナ５１０を介して受信した無線信号を音声信号や画像信号、テキスト信号などに変換してＣＰＵ１００へ送る。
【００４９】
液晶表示器６００は、上記液晶パネル３と、液晶パネル３の光源となるバックライト装置（図示せず）を備え、ＣＰＵ１００からの駆動信号によって、液晶パネル３上に画像を表示する。
【００５０】
メモリ７００には、カメラモジュール１０で撮影した画像データや通信処理部５００を介して外部から取り込んだ画像データ、テキストデータ（メールデータ）などが所定のファイル形式で保存される。また、メモリ７００には、ＴＶモジュール２００や通信制御部５００により外部から取得した映像コンテンツ（テレビ番組、映画など）が保存される。さらに、メモリ７００には、上述したバー６の固定位置と機能モードとの関連付けを示すテーブルが記憶されている。
【００５１】
バッテリー８００は、ＣＰＵ１００やＣＰＵ１００以外の携帯電話機の各部へ電力を供給するためのものであり、二次電池からなる。バッテリー８００は、電源部９００に接続されている。
【００５２】
電源部９００は、バッテリー８００の電圧を前記各構成部に必要な大きさの電圧に変換して各構成部に供給する。また、電源部９００は、外部電源の入力部（図示せず）を介して供給された電力をバッテリー８００に供給して、バッテリー８００を充電する。電源部９００には、電圧検出部９１０が設けられている。電圧検出部９１０は、バッテリー８００の電圧を検出して、ＣＰＵ１００へ送る。
【００５３】
ＣＰＵ１００は、タッチパネル４、ジョグダイヤル７、Ｒボタン８、Ｌボタン９、マイク３００、撮像素子１０ｃなどの各部からの入力信号に基づいて、パネルスピーカ４００、液晶表示器６００などの各部に制御信号を出力することにより、各種の機能モードにおける処理を行う。また、ＣＰＵ１００は、電圧検出部９１０からの電圧信号に基づいて、バッテリー８００の残量を判断する。
【００５４】
ＣＰＵ１００は、表示制御部１１０を含む。表示制御部１１０は、ＣＰＵ１００内に用意された作業エリアとなるメモリ（図示せず）内で、液晶表示器６００に表示する画像を生成し、生成した画像を表示させるための画像信号（ＲＧＢ信号）を液晶表示器６００に出力する。また、表示制御部１１０は、撮像素子１０ｃから送られてきた画像データ、メモリ７００内に保存された画像データ、ＴＶモジュール２００や通信処理部５００を介して受信した画像データ（映像コンテンツ）などを取り込む。そして、取り込んだ画像データから画像信号（ＲＧＢ信号）を生成し、生成した画像信号を液晶表示器６００に出力する。液晶表示器６００の液晶パネル３、すなわちディスプレイ面２には、画像信号に応じた画像（映像）が表示される。
【００５５】
なお、上述のように、ジョグダイヤル７が操作された場合には、ＣＰＵ１００内において、その操作量が判断される。そして、これに基づいて表示制御部１１０から画像信号が送られることによって、ディスプレイ面２に表示されたバー６が、その操作量分だけ移動する。
【００５６】
さて、本実施の形態の携帯電話機では、メールモードにおいて、受信メールの一覧を閲覧した後、所望のメールの内容を確認し、そのメールに対して返信を行う際の、一覧画面から返信画面に至る一連の画面遷移動作がユーザによって円滑に行われ得る。以下、この画面遷移動作について説明する。なお、以下の動作説明から明らかとなるように、ジョグダイヤル７と表示制御部１１０とによって、本発明の領域変更手段が実現されている。
【００５７】
図４および図５は、メールモードでの一覧画面から返信画面に至る一連の画面遷移動作の流れを示すフローチャートである。また、図６および図７は、画面遷移動作が行われたときの画面遷移の例を示す図である。
【００５８】
先に図２（ｂ）に示したメールモードの初期画面から、「受信ＢＯＸ」のメニューが実行されると、表示制御部１１０は、情報表示領域Ｒ１に受信メールの一覧を表示させる（Ｓ１）。[図６の（Ａ）を参照]
【００５９】
ユーザは、メールの詳細内容を確認する場合、一覧から所望のメールタイトルを選択し、ジョグダイヤル７を下方に回転させる。表示制御部１１０は、ジョグダイヤル７が下方に回転されたと判断すると（Ｓ２：ＹＥＳ）、以下のステップＳ３からステップＳ１０の動作により、ジョグダイヤル７の回転に応じて、メール内容を情報表示領域Ｒ１に表示させる第１工程を実行する。ここでは、メール内容は、メール本文と、メール本文に添付された添付画像（写真画像など）とで構成される。
【００６０】
ジョグダイヤル７が下方に回転されると、表示制御部１１０は、まず、選択されたメールタイトルの下段にメール詳細領域Ｒ３を追加する（Ｓ３）。そして、バー６を下方へ移動させ、このバー６の移動に応じてメール詳細領域Ｒ３を拡張させる（Ｓ４）。このとき、メール詳細領域Ｒ３を拡張した分だけ、操作領域Ｒ２を縮小させる。
【００６１】
次に、表示制御部１１０は、メール本文の表示が完了したかを判別し（Ｓ５）、メール本文の表示が完了していなければ（Ｓ５：ＮＯ）、メール詳細領域Ｒ３に、選択された受信メールのメール本文を表示する（Ｓ６）。さらに、縮小された操作領域Ｒ２の大きさに合わせて操作キーの配置を変更する（Ｓ７）。[図６の（Ｂ）を参照]
【００６２】
表示制御部１１０は、メール詳細領域Ｒ３が予め決められた最大のサイズまで拡張されたか否かを判断する(Ｓ８)。そして、最大のサイズまで拡張されていないと判断すれば（Ｓ８：ＮＯ）、ステップＳ４からステップＳ８の動作を繰り返す。この間に、メール本文の表示が完了し、ステップＳ５でこれが判断されると、表示制御部１１０は、メール詳細領域Ｒ３に、メール本文に続けて添付画像を表示する（Ｓ９）。
【００６３】
こうして、バー６の下方移動に伴ってメール詳細領域Ｒ３の拡張が進み、ステップＳ８において、メール詳細領域Ｒ３が最大サイズまで拡張されたと判断されると、表示制御部１１０は、引き続きジョグダイヤル７が下方に回転されつつある状態にあっても、一旦、バー６を停止させる（Ｓ１０）。[図６の（Ｃ）を参照]
【００６４】
ユーザは、バー６が移動しなくなることで、メール内容が最大限に表示されたことを把握することができる。
【００６５】
次に、表示制御部１１０は、メール詳細領域Ｒ３にメール内容が全て表示されているか否かを判断する（図５参照：Ｓ１１）。そして、全て表示されていれば、選択された受信メールのステータスを未読から既読に変更し、これに応じて、画面上のステータスマークを“未読”から“既読”に変更する（Ｓ１２）。
【００６６】
ユーザは、メール内容を確認した後に、このメールに対して返信する場合、メール内容が表示された状態から、再度、ジョグダイヤル７を下方に回転させる。
【００６７】
表示制御部１１０は、ジョグダイヤル７が下方に回転されたと判断すると（Ｓ１３：ＹＥＳ）、以下のステップＳ１４からステップＳ１６の動作により、メール返信用の画面を情報表示領域Ｒ１に表示させるための第２工程を実行する。
【００６８】
表示制御部１１０は、まず、表示領域を再編成する（Ｓ１４）。すなわち、表示領域に情報表示領域Ｒ１と操作領域Ｒ２とを所定の比率となるように割当てる。さらに、情報表示領域Ｒ１に受信画面領域Ｒ４と返信画面領域Ｒ５とを割当てる。そして、表示制御部１１０は、受信画面領域Ｒ４に受信メールのメール本文を表示させるとともに、返信画面領域Ｒ５にメール返信用の画面を表示させる（Ｓ１５）。さらに、表示制御部１１０は、操作領域Ｒ２にメール返信操作のために使用する操作キーを表示させる（Ｓ１６）。[図６の（Ｄ）を参照]
【００６９】
こうして、ユーザは、受信メールの内容を確認しながら、返信用のメールを作成することができる。なお、受信画面領域Ｒ４と返信画面領域Ｒ５に表示された情報は、たとえば、ユーザが指でその画面領域をタッチしながらその指を上下に移動させることにより、上下に送られる。これにより、ユーザは、受信メールの内容、返信メールの内容を全て確認することができる。
【００７０】
さて、メール本文が長いなどメール内容が多い場合は、図６（Ｃ）の状態において、メール詳細領域Ｒ３に全てのメール内容を表示することができない。この場合には、ステップＳ１１において、メール内容が全て表示されていないと判断される。すると、表示制御部１１０は、メール詳細領域Ｒ３にスクロールバーＭ１を表示させる（Ｓ１７）。[図７の（Ｅ）を参照]
【００７１】
ユーザは、スクロールバー７が現れることで、メールに続きがあることを容易に把握できる。そして、このメールの続きが見たい場合、ユーザはジョグダイヤル７を押下し、その後、ジョグダイヤル７を回転させてスクロール操作を行う。
【００７２】
表示制御部１１０は、ジョグダイヤル７が押下されたと判断すると（Ｓ１８：ＹＥＳ）、その後は、ジョグダイヤル７の回転に応じてメール内容をスクロールする（Ｓ１９）。そして、表示制御部１１０は、最後までスクロールされ、メール内容が一通り全て表示されたと判断すると（Ｓ２０：ＹＥＳ）、選択された受信メールのステータスを未読から既読に変更し、これに応じて、画面上のステータスマークを“未読”から“既読”に変更する（Ｓ２１）。こうして、ユーザは、メール内容を最後まで確認することができる。［図７の（Ｆ）を参照］
【００７３】
表示制御部１１０は、ジョグダイヤル７がさらに押下されたか否かを判断し（Ｓ２２）、押下されたと判断すると（Ｓ２２：ＹＥＳ）、スクロール操作のモードを解除する。そして、ジョグダイヤル７が下方に回転されたか否かを判断し（Ｓ２３）、下方に回転されたと判断すると（Ｓ２３：ＹＥＳ）、上述したステップＳ１４に移行する。
【００７４】
なお、ステップＳ３からステップＳ１０の動作の間に、ユーザによってジョグダイヤル７が上方に回転された場合には、回転に応じてメール詳細領域Ｒ３が縮小し、バー６が最初の位置に戻ると、最初の受信メールの一覧に戻るような構成とすることが望ましい。また、図６の（Ｄ）に示すメール返信用の画面が表示されている状態において、ジョグダイヤル７が上方に回転されるなど、所定の戻り操作がなされると、図６の（Ａ）に示す受信メールの一覧に戻るような構成とすることが望ましい。
【００７５】
以上、本実施の形態では、ジョグダイヤル７による情報表示領域Ｒ１（メール画面の表示領域）の拡張操作（下方向の回転操作）に連動して、情報表示領域Ｒ１にメール内容が表示されるため、ユーザは、円滑かつ簡便な操作によってメール内容を見ることができる。また、このようにメール内容を表示した後、これに続く、情報表示領域Ｒ１の変移操作（下方向の回転操作）に応じて、さらに、情報表示領域Ｒ１にメール返信用の画面が表示されるため、ユーザは、メールを見た後、簡便な操作にて、メール返信を行うことができる。このように、ユーザは、所望のメールの内容を確認して返信を行う際に、ジョグダイヤル７を下方向に回転させるのみで、メール一覧の画面からメール返信用の画面に至るまでの一連の画面遷移動作を行うことができる。
【００７６】
また、本実施の形態では、メール返信用の画面が表示される際に、同時にメール本文が表示されるので、ユーザは、メール本文の内容を確認しながら、返信メールを作成することができ、メールのやりとりが円滑に行えるようになる。しかも、メール返信用の画面が表示される際には、メール本文のみが表示され、添付画像は表示されないため、その分、メール返信用の画面や操作キーのための画面領域を大きくすることができ、返信メールの作成を円滑に行うことができる。
【００７７】
なお、メールの内容を確認する際には、多くの操作をする必要がないため操作キーは少なくてよく、操作領域Ｒ２は小さくてよい。この点に鑑み、本実施の形態では、ジョグダイヤル７による拡張操作に応じて情報表示領域Ｒ１が拡張されると、それに伴って操作領域Ｒ２が縮小されるようにしている。したがって、操作領域Ｒ２を有効に利用することにより、メール内容を表示するのにできるだけ大きな領域を確保することができ、ユーザがメール内容を確認しやすくすることができる。
【００７８】
さらに、本実施の形態では、メール詳細領域Ｒ３に、メール本文だけでなく、添付画像が表示されるので、メールの内容をより詳細に確認することができる。
【００７９】
さらに、メール内容がメール詳細領域Ｒ３に１回で表示しきれない場合には、スクロール操作によってメール内容を送ることができるよう構成されているので、ユーザはメール内容を最後まで確認することができる。この場合も、ユーザは、それまで操作していたジョグダイヤル７を押下操作すればよく、別途、他のボタンを操作する必要がないため、操作性を損なうことなくメールの確認を行うことができる。
【００８０】
以上、本発明の実施形態について説明したが、本発明はこれに限定されるものではなく、また、本発明の実施形態も、適宜、種々の変更が可能である。たとえば、実施形態は、以下のように変更され得る。
【００８１】
（変形例１）
図８は、変形例１における画面遷移動作の流れを示すフローチャートである。この例では、上記実施の形態における図５に示すフローチャートに対し、ステップＳ２４からステップＳ２６の動作を追加している。その他の部分については、上記実施の形態と同様である。
【００８２】
この例では、ステップＳ９でメール詳細領域Ｒ３が最大でないと判断されると、表示制御部１１０は、この時点で、すなわち、メール詳細領域Ｒ３が最大となる前に、メール内容が全て表示されたか否かを判断する（Ｓ２４）。そして、すべて表示されたと判断すると（Ｓ２４：ＹＥＳ）、バー６を停止させる（Ｓ２５）。さらに、表示制御部１１０は、選択された受信メールのステータスを未読から既読に変更し（Ｓ２６）、その後、ステップＳ１３に移行する。
【００８３】
このような構成とすれば、メール詳細領域Ｒ３が最大となるまで待たずとも、メール内容が全て表示されると、すぐにメール返信用の画面への移行操作ができるようになるので、使い勝手がよくなる。
【００８４】
（変形例２）
図９は、変形例２における画面遷移動作の流れを示すフローチャートである。この例では、上記実施の形態における図５に示すフローチャートに対し、ステップＳ２７の動作を追加している。その他の部分については、上記実施の形態と同様である。
【００８５】
この例では、ステップＳ９でメール詳細領域Ｒ３が最大になったと判断される前に、ユーザによって、ジョグダイヤル７が上方に回転され、表示制御部１１０がこれを判断すると（Ｓ２７：ＹＥＳ）、即座にステップＳ１４へ移行し、メール返信用の画面を表示させる第２工程が開始される。
【００８６】
このような構成とすれば、ユーザは、必要な場合に、メール内容の確認を途中で中止させて、すばやくメール返信用の画面に移行することができるので、使い勝手が向上する。
【００８７】
（変形例３）
図１０および図１１は、変形例３における画面遷移動作の流れを示すフローチャートである。また、図１２および図１３は、変形例３における画面遷移動作が行われたときの画面遷移の例を示す図である。
【００８８】
この例では、メール本文とともに、この受信メールに関連する情報の画像が表示される。たとえば、メール送信者のアドレス情報が表示される。
【００８９】
まず、図１２の（Ａ）に示すような、受信メールの一覧が表示された状態（Ｓ１０１）から、ジョグダイヤル７が下方に回転されると（Ｓ１０２：ＹＥＳ）、表示制御部１１０は、第１工程として、ステップＳ１０３からステップＳ１０７の動作を実行する。
【００９０】
すなわち、表示制御部１１０は、選択されたメールタイトルの下段にメール詳細領域Ｒ３を追加する（Ｓ１０３）。そして、バー６を下方へ移動させ、このバー６の移動に応じてメール詳細領域Ｒ３を拡張させる（Ｓ１０４）。このとき、メール詳細領域Ｒ３を拡張した分だけ、操作領域Ｒ２を縮小させる。次に、表示制御部１１０は、メール詳細領域Ｒ３に、選択された受信メールのメール本文を表示する（Ｓ１０５）。さらに、縮小された操作領域Ｒ２の大きさに合わせて操作キーの配置を変更する（Ｓ１０６）。[図１２の（Ｂ）を参照]
【００９１】
ステップＳ１０７でメール詳細領域Ｒ３が最大となったと判断されるまでステップＳ１０４からステップＳ１０７の動作が繰り返される。ステップＳ１０７でメール詳細領域Ｒ３が最大となったと判断されると、表示制御部１１０は、第１工程として、さらにステップＳ１０８からステップＳ１１２の動作を実行する。すなわち、メール詳細領域Ｒ３の下段に関連情報領域Ｒ６を追加し（Ｓ１０８）、バー６の移動に応じて関連情報領域Ｒ６を拡張させる（Ｓ１０９）。このとき、関連情報領域Ｒ６を拡張した分だけ、操作領域Ｒ２をさらに縮小させる。次に、表示制御部１１０は、関連情報領域Ｒ６に、送信者のアドレス情報を表示する（Ｓ１１０）。さらに、縮小された操作領域Ｒ２の大きさに合わせて操作キーの配置を変更する（Ｓ１１１）。[図１２の（Ｃ）を参照]
【００９２】
ステップＳ１１２で関連情報領域Ｒ６が最大となったと判断されるまでステップＳ１０９からステップＳ１１２の動作が繰り返される。ステップＳ１１２で関連情報領域Ｒ６が最大となったと判断されると、表示制御部１１０はバー６を停止させる（Ｓ１１３）。
【００９３】
こうして、ユーザは、メールの内容とともに、メール送信者のアドレス情報を確認することができる。
【００９４】
次に、表示制御部１１０は、ジョグダイヤル７が押下されたか否かを判断し（Ｓ１１４）、押下されていなければ（Ｓ１１４：ＮＯ）、ジョグダイヤル７が下方に回転されたか否かを判断する（Ｓ１１５）。ジョグダイヤル７が押下されたと判断すると（Ｓ１１５：ＹＥＳ）、表示制御部１１０は、第２工程として、ステップＳ１１６からステップＳ１１８の動作を実行する。
【００９５】
表示制御部１１０は、まず、表示領域を再編成する（Ｓ１１６）。すなわち、表示領域に情報表示領域Ｒ１と操作領域Ｒ２とを所定の比率となるように割当てる。さらに、情報表示領域Ｒ１に受信画面領域Ｒ４と返信画面領域Ｒ５とを割当てる。そして、表示制御部１１０は、受信画面領域Ｒ４に受信メールのメール本文を表示させるとともに、返信画面領域Ｒ５にメール返信用の画面を表示させる（Ｓ１１７）。さらに、表示制御部１１０は、操作領域Ｒ２にメール返信操作のために使用する操作キーを表示させる（Ｓ１１８）。[図１２の（Ｄ）を参照]
【００９６】
一方、ステップＳ１１４でジョグダイヤル７が押下されたと判断すると、表示制御部１１０は、メール詳細領域Ｒ３にメール本文が全て表示されているか否かを判断する（Ｓ１１９）。メール本文が全て表示されていないと判断すると（Ｓ１１９：ＮＯ）、表示制御部１１０は、メール詳細領域Ｒ３にスクロールバーＭ２を表示させる（Ｓ１２０）。そして、ユーザによって、ジョグダイヤル７が回転されると、表示制御部１１０は、この回転に応じて、メール本文をスクロールする（Ｓ１２１）。[図１３の（Ｅ）を参照]
【００９７】
その後、さらにジョグダイヤル７が押下されたと判断すると（Ｓ１２２：ＹＥＳ）、表示制御部１１０は、メール詳細領域Ｒ３のスクロールバーＭ２の表示を消して、関連情報領域Ｒ６にスクロールバーＭ３を表示させる（Ｓ１２３）。そして、ユーザによって、ジョグダイヤル７が回転されると、表示制御部１１０は、この回転に応じて、アドレス情報をスクロールする（Ｓ１２４）。[図１３の（Ｆ）を参照]
【００９８】
なお、ステップＳ１１９でメール本文が全て表示されていると判断した場合は、メール本文のスクロールが不要であるため、表示制御部１１０は、すぐに、関連情報領域Ｒ６にスクロールバーＭ３を表示させる。
【００９９】
こうして、ユーザは、メール本文およびアドレス情報を最後まで確認することができる。
【０１００】
表示制御部１１０は、さらにジョグダイヤル７が押下されたか否かを判断し（Ｓ１２５）、押下されたと判断すると（Ｓ１２５：ＹＥＳ）、スクロール操作のモードを解除し、ステップＳ１１５に移行する。
【０１０１】
なお、この例においては、関連情報領域Ｒ６に、メール送信者のアドレス情報に代えて、図１４および図１５に示すような、選択された受信メールに関連するメール送受信履歴を表示するようにしてもよい。また、この例においても、上記実施の形態と同様に、メール詳細領域Ｒ３に添付画像を表示するようにしてもよい。さらに、上記変形例１や変形例２に示した追加動作を付加するようにしてもよい。
【０１０２】
この変形例３の構成では、メールの内容だけでなく、アドレス情報やメール送受信履歴などのメールの送信者に関連する所定情報が表示されるので、ユーザは、返信メールを作成するに当たり、これら情報を参照することができ、利便性が高まる。また、第２工程においては、メール本文のみが表示され、このメールの送信者に関連する所定情報については表示されないので、その分、メール返信用の画面や操作キーのための画面領域を大きくすることができ、返信メールの作成を円滑に行うことができる。
【０１０３】
（その他）
上記実施の形態や変形例３の構成では、メール内容やアドレス情報のスクロール（送り操作）をジョグダイヤル７の機能を切替えて、ジョグダイヤル７の回転操作によって行うようにしている。しかし、これに限らず、たとえば、タッチパネル４を利用し、ユーザがメール詳細領域Ｒ３や関連情報領域Ｒ６に指でタッチしそのまま指を上下に移動させることによりスクロールされる構成としてもよい。また、操作領域Ｒ２の操作キーによりスクロールされる構成としてもよい。ただし、上記のようにジョグダイヤル７のみでメール内容やアドレス情報のスクロール（送り操作）をもできるようにすると、別途、他のボタンを操作する必要がないため、操作性が損なわれ難い。
【０１０４】
さらに、上記実施の形態では、メール詳細領域Ｒ３が最大となった後に、ジョグダイヤル７を押下すると、メール内容がスクロールできる状態となるようにしている。しかし、メール詳細領域Ｒ３が最大となったときにメール内容が全て表示されていない場合には、さらにジョグダイヤル７の下方回転に応じて、メール内容がスクロールされ、最後までスクロールされると、次のジョグダイヤル７の下方回転により、メール返信用の画面が表示されるような構成としてもよい。
【０１０５】
この他、本発明の実施形態は、特許請求の範囲に示された技術的思想の範囲内において、適宜、種々の変更が可能である。
【図面の簡単な説明】
【０１０６】
【図１】実施の形態に係る携帯電話機の構成を示す図
【図２】実施の形態に係る携帯電話機において、テレビモードおよびメールモードの画面表示例を示す図
【図３】実施の形態に係る携帯電話機の回路構成を示すブロック図
【図４】実施の形態に係る携帯電話機において、メールモードでの一覧画面から返信画面に至る一連の画面遷移動作の流れを示すフローチャート
【図５】図４に続くフローチャート
【図６】実施の形態に係る携帯電話機において、画面遷移動作が行われたときの画面遷移の例を示す図
【図７】実施の形態に係る携帯電話機において、画面遷移動作が行われたときの画面遷移の例を示す図
【図８】実施の形態に係る携帯電話機において、変形例１の画面遷移動作の流れを示すフローチャート
【図９】実施の形態に係る携帯電話機において、変形例２の画面遷移動作の流れを示すフローチャート
【図１０】実施の形態に係る携帯電話機において、変形例３の画面遷移動作の流れを示すフローチャート
【図１１】図１０に続くフローチャート
【図１２】実施の形態に係る携帯電話機において、変形例３の画面遷移動作が行われたときの画面遷移の例であり、アドレス情報を表示した例を示す図
【図１３】実施の形態に係る携帯電話機において、変形例３の画面遷移動作が行われたときの画面遷移の例であり、アドレス情報を表示した例を示す図
【図１４】実施の形態に係る携帯電話機において、変形例３の画面遷移動作が行われたときの画面遷移の例であり、メール送受信履歴を表示した例を示す図
【図１５】実施の形態に係る携帯電話機において、変形例３の画面遷移動作が行われたときの画面遷移の例であり、メール送受信履歴を表示した例を示す図
【符号の説明】
【０１０７】
３      液晶パネル
７      ジョグダイヤル（送り操作部）
１１０  表示制御部
６００  液晶表示器（表示ユニット）
Ｒ１    情報表示領域
Ｒ２    操作領域
Ｒ３    メール詳細領域（メール内容表示領域）
Ｒ４    受信画面領域
Ｒ５    返信画面領域
Ｒ６    関連情報領域（メール内容表示領域）
【図１】
0005420846.tif 000002
【図２】
0005420846.tif 000003
【図３】
0005420846.tif 000004
【図４】
0005420846.tif 000005
【図５】
0005420846.tif 000006
【図６】
0005420846.tif 000007
【図７】
0005420846.tif 000008
【図８】
0005420846.tif 000009
【図９】
0005420846.tif 000010
【図１０】
0005420846.tif 000011
【図１１】
0005420846.tif 000012
【図１２】
0005420846.tif 000013
【図１３】
0005420846.tif 000014
【図１４】
0005420846.tif 000015
【図１５】
0005420846.tif 000016